(57)【要約】【課題】車両から送信される走行データから得られる渋滞度を示す交通障害情報に基づいて交通障害発生リスクを予測することで一層安全な走行を図るようにした交通障害リスク予測装置を提供する。【解決手段】  走行路について車両１６からプローブデータ２０として送信される走行データの現況値から得られる現況渋滞度とその過去一定期間の統計値から得られる統計渋滞度からなる渋滞度情報を含む交通障害情報を作成する交通障害情報作成サーバ１２に接続される交通障害リスク予測装置１０であって、交通情報メッシュ化部１０ｅ，１０ｆで描画された渋滞度情報と気象情報とに基づいて走行路について交通障害が発生する可能性を示す交通障害発生リスクの予測値を算出して表示する交通障害リスク表示部１０ｂ，１０ｄ，１０ｆ，１０ｇを備える。【選択図】図１
2018055208.tif 000002
【特許請求の範囲】
【請求項１】
走行路について通信型ナビゲーションシステムを装着した車両からプローブデータとして送信される走行データの現況値から得られる現況渋滞度と前記現況値の過去一定期間の統計値から得られる統計渋滞度とからなると共に、前記走行データ中の走行速度に従ってそれぞれ複数段階の区分に分別されてなる渋滞度情報を含む交通障害情報を地図データに基づいて前記走行路を規定するリンクごとに作成する交通障害情報作成サーバに接続される交通障害リスク表示装置であって、
前記複数段階の区分に分別されてなる渋滞度情報について渋滞度が増加するにつれて減少するように設定される数値に応じて設定される色彩で着色しつつ、前記走行路を規定するリンクを含むメッシュ地図上に前記渋滞度情報を描画する交通情報メッシュ化部と、
前記交通情報メッシュ化部で描画される渋滞度情報に基づいて前記走行路について交通障害が発生する可能性を示す交通障害発生リスクの予測値を算出して表示する交通障害リスク表示部と、
を備えることを特徴とする交通障害リスク表示装置。
【請求項２】
交通情報メッシュ化部は、前記描画された渋滞度情報が同一リンクについて重複するとき、前記数値が大きい方に対応する色彩で上書きすることを特徴とする請求項１記載の交通障害リスク表示装置。
【請求項３】
前記交通障害情報作成サーバは前記走行路を規定するリンクごとに前記渋滞度情報を作成すると共に、前記交通障害リスク表示部は、前記交通情報メッシュ化部で描画される渋滞度情報に基づいて前記交通障害発生リスクの予測値を算出して表示することを特徴とする請求項１または２記載の交通障害リスク表示装置。
【請求項４】
前記交通情報メッシュ化部は、前記渋滞度が所定度合い以下の区分について前記数値に応じて設定される色彩での着色を中止することを特徴とする請求項１から３のいずれかに記載の交通障害リスク表示装置。
【請求項５】
前記交通障害情報作成サーバは、前記渋滞度情報を所定のエリアごとに作成することを特徴とする請求項１から４のいずれかに記載の交通障害リスク表示装置。
【発明の詳細な説明】
【技術分野】
【０００１】
この発明は交通障害リスク表示装置に関し、より具体的には交通障害情報作成サーバで作成される交通障害情報に基づいて交通障害リスクの予測値を算出して表示する装置に関する。
【背景技術】
【０００２】
この種の装置の一例としては、特許文献１記載の技術を挙げることができる。特許文献１記載の技術は、積雪などの気象や交通事故などの交通についての事象に対する注意を喚起させるための注意喚起情報を、事象が発生しているか否かを状況に応じて確認した後、付近を走行中の車両に配信するように構成している。
【先行技術文献】
【特許文献】
【０００３】
【特許文献１】特開２０１２−１４２５５号公報
【発明の概要】
【発明が解決しようとする課題】
【０００４】
特許文献１記載の技術は注意喚起情報を配信するように構成しているが、それに止まり、交通状況から今後発生する可能性のある交通障害リスクの予測値を表示する構成を備えないことから、よって目視可能性や視認性に欠ける不都合があった。
【０００５】
従って、この発明の目的は上記した課題を解決し、車両から送信される走行データから得られる渋滞度を示す交通障害情報に基づいて交通障害発生リスクの予測値を表示するようにした交通障害リスク表示装置を提供することにある。
【課題を解決するための手段】
【０００６】
上記した課題を解決するために、この発明にあっては、走行路について通信型ナビゲーションシステムを装着した車両からプローブデータとして送信される走行データの現況値から得られる現況渋滞度と前記現況値の過去一定期間の統計値から得られる統計渋滞度とからなると共に、前記走行データ中の走行速度に従ってそれぞれ複数段階の区分に分別されてなる渋滞度情報を含む交通障害情報を地図データに基づいて前記走行路を規定するリンクごとに作成する交通障害情報作成サーバに接続される交通障害リスク表示装置であって、前記複数段階の区分に分別されてなる渋滞度情報について渋滞度が増加するにつれて減少するように設定される数値に応じて設定される色彩で着色しつつ、前記走行路を規定するリンクを含むメッシュ地図上に前記渋滞度情報を描画する交通情報メッシュ化部と、前記交通情報メッシュ化部で描画される渋滞度情報に基づいて前記走行路について交通障害が発生する可能性を示す交通障害発生リスクの予測値を算出して表示する交通障害リスク表示部とを備える如く構成した。
【発明の効果】
【０００７】
走行路について通信型ナビゲーションシステムを装着した車両からプローブデータとして送信される走行データの現況値から得られる現況渋滞度とその過去一定期間の統計値から得られる統計渋滞度とからなると共に、地図データに基づいて交通障害情報作成サーバで作成された渋滞度情報について渋滞度が増加するにつれて減少するように設定される数値に応じて設定される色彩で着色しつつ、メッシュ地図上に渋滞度情報を描画する交通情報メッシュ化部と、交通情報メッシュ化部で描画される渋滞度情報に基づいて走行路について交通障害発生リスクの予測値を算出して表示する交通障害リスク表示部を備える如く構成したので、メッシュ化部で描画される渋滞度情報に基づいて走行路について交通障害が発生する可能性を示す交通障害発生リスクの予測値を表示することで、交通状況から今後発生する可能性のある交通障害リスクの予測値が目視可能となり、よって視認性を向上させることができる。
【図面の簡単な説明】
【０００８】
【図１】この発明の実施形態に係る交通障害リスク表示装置を全体的に示す概略図である。
【図２】図１に示す交通障害情報作成サーバの動作（処理）を示すフロー・チャートである。
【図３】同様に、図１に示す交通障害情報作成サーバの動作（処理）を示すフロー・チャートである。
【図４】図１の交通障害情報作成サーバで作成されて交通障害リスク表示装置に送られる渋滞度情報を示す説明図である。
【図５】図４の遭難リスク、交通障害リスク、交通障害リスクの可能性をより詳しく示す説明図である。
【図６】図１の交通障害リスク表示装置の将来の所定時間の間に交通障害が発生する可能性を示す交通障害発生リスクを予測する動作（処理）を説明する説明図である。
【図７】図１の交通障害リスク表示装置の図６に示す動作（処理）を説明するフロー・チャートである。
【図８】図１の交通障害リスク表示装置のメッシュ面変換処理（動作）などを説明するフロー・チャートである。
【図９】図８フロー・チャートの処理を説明する説明図である。
【図１０】同様に、図８フロー・チャートの処理を説明する説明図である。
【図１１】同様に、図８フロー・チャートの処理を説明する説明図である。
【図１２】同様に、図８フロー・チャートの処理を説明する説明図である。
【図１３】同様に、図８フロー・チャートの処理を説明する説明図である。
【図１４】図１の交通障害リスク表示装置の別のメッシュ面変換処理（動作）などを説明するフロー・チャートである。
【発明を実施するための形態】
【０００９】
以下、添付図面を参照してこの発明に係る交通障害リスク表示装置を実施するための形態について説明する。
【００１０】
図１はこの発明の実施形態に係る交通障害リスク表示装置を全体的に示す概略図である。
【００１１】
以下説明すると、符号１０は交通障害リスク表示装置（以下「装置」という）１０を示す。装置１０はＣＰＵ，ＲＯＭ，ＲＡＭ，Ｉ／Ｏなどからなる１個または数個のマイクロコンピュータから構成され、交通障害情報作成サーバ１２と気象情報作成サーバ１４とに接続される。
【００１２】
交通障害情報作成サーバ１２は大型のコンピュータから構成され、所定場所（例えば本願出願人所有の施設）に設置される。
【００１３】
気象情報作成サーバ１４も同様に大型のコンピュータから構成され、所定場所（例えば本願出願人所有の施設）に設置される。
【００１４】
車両（フローティングカー。floating car）１６には通信型ナビゲーションシステム（以下「ナビシステム」という）１６ａが装着され、車両１６は走行路を走行するとき、ナビシステム１６ａに組み込まれる通信モジュール１６ａ１とプローブ収集モジュール１６ａ２を介してプローブデータ(フローティングカーデータ。ｆｃｄあるいは走行データ)２０として送信する。プローブ収集モジュール１６ａ２は複数のＧＰＳ衛星からの測位用のデータを受信して車両１６の位置を検出するＧＰＳ装置１８を備える。
【００１５】
ナビシステム１６ａは、本願出願人によって運営される会員制の「インターナビ」あるいは「インターナビシステム」（共に登録商標）と呼ばれるシステムで、テレマティクスを中心としたドライブサポートシステムからなる。
【００１６】
ナビシステム１６ａにおいては装着車両（車両１６として１台のみ示す）の運転者（会員）からのプローブデータ２０に基づいて走行路の走行状況が検出され、検出された走行状況は当該車両を含む会員運転車両に要求に応じて配信される。
【００１７】
交通障害情報作成サーバ１２は、走行路を走行する車両１６からプローブデータ２０として送信される走行データ、即ち、走行路について車両１６から送信される走行データを受信する。走行データは送信時刻と送信位置などのデータを意味する。
【００１８】
交通障害情報作成サーバ１２は、リンク（地図）ＤＢ（データベース）１２ａと、交通情報作成部１２ｂと、現況渋滞度算出部１２ｃと、統計渋滞度算出部１２ｄと、交通障害リスク算出部１２ｅと、ＡＰＩ（Application Program Interface）１２ｆとを備える。
【００１９】
気象情報作成サーバ１４は、気象庁（あるいはそれに関連する官庁）１４ａから配信される気象データ（気象観測値、気象解析値、気象予測値などを含む）１４ｂを受信する。気象情報作成サーバ１４は、メッシュ単位演算部１４ｃと、気象モデルＤＢ（データベース）１４ｄと、雨ＤＢ（データベース）１４ｅと、雪ＤＢ（データベース）１４ｆと、荒天時交通障害リスクテーブル作成部１４ｇと、ＡＰＩ１４ｈとを備える。
【００２０】
公知の如く、「メッシュ」は地域を格子状に区切った単位（例えば第１次メッシュで約８０ｋｍ区画、第２次メッシュで約１０ｋｍ区画、第３次メッシュで１ｋｍ区画）で、その範囲における各種の情報を格納したデータを意味する。
【００２１】
気象情報作成サーバ１４は、それらメッシュ単位演算部１４ｃなどの処理により、走行路を含むエリアについて気象庁１４ａから配信される気象データ１４ｂから気象モデルＤＢ１４ｄに格納される気象モデルに基づいて気象情報を作成する。
【００２２】
装置１０は、交通障害情報作成サーバ１２と気象情報作成サーバ１４とに携帯電話通信網、公衆電話通信網などの通信網２２を通じて接続されると共に、交通障害リスクをリンク単位で算出する交通障害リスク算出部１０ａと、算出された交通障害リスクに基づいて交通障害リスクを予測する交通障害リスク予測部１０ｂと、地図・表示テーブル作成部１０ｃと、算出された交通障害リスクのリンク単位の表示データを作成する交通障害リスク表示データ作成部１０ｄと、リンク単位で算出された交通障害リスクのメッシュ地図上の面に変換処理するメッシュ面変換処理部１０ｅと、面単位で算出された交通障害リスクの表示データを作成する交通障害リスク表示データ作成部１０ｆと、それらの表示データを表示するディスプレイ（表示部）１０ｇとを備える。
【００２３】
装置１０において、メッシュ面変換処理部１０ｅと交通障害リスク表示データ作成部１０ｆが交通情報メッシュ化部として機能すると共に、交通障害リスク予測部１０ｂと交通障害リスク表示データ作成部１０ｄ，１０ｆとディスプレイ１０ｇが交通障害リスク表示部として機能する。
【００２４】
交通障害リスク表示部は、交通障害情報作成サーバ１２で作成された交通情報と気象情報作成サーバ１４で作成された気象情報とに基づいて走行路について交通障害が発生する可能性を示す交通障害発生リスクの予測値を算出して表示する。
【００２５】
また、装置１０は、複数のＧＰＳ衛星からの測位用のデータを受信して装置１０の自己位置を検出するＧＰＳ装置２４と、電源２６に接続されるスイッチ３０とを備え、装置１０の操作者（使用者）のスイッチ３０のオン操作によって交通障害リスク予測部１０ｂを動作させる。即ち、装置１０はそれ自体で完結した独立の装置として構成される。
【００２６】
従って、装置１０は操作者が所持して車両１６などの四輪車あるいは自動二輪車もしくは自転車を運転しても良く、さらには所持して歩行しても良い。また装置１０はナビシステム１６ａに組み込まれても良く、あるいはスマートフォンなどの携帯端末３２に組み込まれても良い。装置１０が携帯端末３２に組み込まれた場合、操作者は携帯端末３２を所持して車両１６などを運転することも可能となる。
【００２７】
尚、装置１０がナビシステム１６ａあるいは携帯端末３２に組み込まれた場合、ＧＰＳ装置２４、電源２６、スイッチ３０、ディスプレイ１０ｇなどは、ナビシステム１６ａあるいは携帯端末３２側の機器で代用される。
【００２８】
以下の説明では、説明の便宜のため、装置１０がナビシステム１６ａに組み込まれて動作する場合を例にとって説明する。
【００２９】
図２フロー・チャートなどを参照して上記した交通障害情報作成サーバ１２と装置１０の動作を詳細に説明する。
【００３０】
図２は交通障害情報作成サーバ１２の交通情報作成部１２ｂと現況渋滞度算出部１２ｃと統計渋滞度算出部１２ｄなどの動作（処理）を説明するフロー・チャートである。
【００３１】
以下説明すると、先ずプローブを計測する（Ｓ１０（Ｓ：処理ステップ））。即ち、交通情報作成部１２ｂは、車両１６からプローブデータ２０として送信される、車両１６が現在位置する走行路についての走行データを受信し、データ作成日時（プローブデータ２０としてアップロードされた日時）を付し、リンクＤＢ１２ａに格納される当該走行路に相当するリンクと共に、現況渋滞度算出部１２ｃにデータ送信する（Ｓ１２）。
【００３２】
走行路（道路）はリンクで示される。リンクは隣接するノード（交差点や分岐などの複数の道路が交わる点）の間を結ぶベクトルを意味する。
【００３３】
現況渋滞度算出部１２ｃは受信した走行データの作成日時を検出し、現在時刻から３０分未満と判断されるときは現況値とみなし、適宜設定される複数のしきい値と比較し、車両１６の当該リンクでの現況値が順調、混雑、渋滞のいずれであるか区分する（現況渋滞度を算出する）。
【００３４】
また、現況渋滞度算出部１２ｃは受信した走行データの作成日時が現在時刻から３０分以上と判断されるときは統計値（集計値）とみなし、走行データを統計渋滞度算出部１２ｄに送信する（Ｓ１４）。  
【００３５】
統計渋滞度算出部１２ｄは、受信した走行データから当該リンクでの始点から終点までの走行時間と平均走行速度を算出し、算出された平均走行速度を適宜設定される複数のしきい値と比較する。統計渋滞度算出部１２ｄはその比較結果と、単位時間当たりの車両１６の通過台数とから、車両１６の当該リンクでの平均走行速度が順調、混雑、渋滞のいずれであるかを区分する（統計渋滞度を算出する）。統計渋滞度は、曜日と時間ごとに分けて集計される。このように、交通情報にはデータ作成日時と渋滞度が含まれる。
【００３６】
図３は交通障害情報作成サーバ１２の交通障害リスク算出部１２ｅの動作を説明するフロー・チャートである。
【００３７】
以下説明すると、先ず、Ｓ１００において作成リンクを探索する。即ち、交通障害情報作成サーバ１２は、現況渋滞度と統計渋滞度からなる渋滞度情報を所定の走行区間（例えば１０ｋｍ）ごとに作成するが、その間の走行区間を構成するリンクのうちの最初の（始点側の）リンクを選択する。
【００３８】
次いでＳ１０２に進み、現況渋滞度があるか、より詳しくは算出されているか否か判断する。
【００３９】
Ｓ１０２で否定されるときはＳ１００に戻り、次のリンクを選択する一方、肯定されるときはＳ１０４に進み、現況渋滞度と統計渋滞度からなる渋滞度情報を作成（適宜な記憶領域に表示）する。
【００４０】
次いでＳ１０６に進み、未作成リンクがあるか否か判断し、肯定されるときは上記の処理を繰り返す一方、否定されるときは以降の処理を終了する。尚、Ｓ１０２で現況渋滞度の算出の有無を判断するのは、統計渋滞度は過去一定期間の値であるために当然算出されているはずであるが、現況渋滞度は算出されない場合があるからである。
【００４１】
図１の説明に戻ると、交通障害情報作成サーバ１２で作成された渋滞度情報と当該走行路を含むエリアについて気象庁１４ａから配信される気象データ１４ｂから気象モデル１４ｄに格納される気象モデルに基づいて気象情報作成サーバ１４で作成された気象情報は、ＡＰＩ１２ｆ，ＡＰＩ１４ｈを介して装置１０に送信される。
【００４２】
送信された情報は交通障害リスク算出部１０ａにおいてリンク単位に選別された後、交通障害リスク算出部１０ａから交通障害リスク予測部１０ｂと地図・表示テーブル作成部１０ｃなどに送られると共に、メッシュ面変換処理部１０ｅにも送られる。
【００４３】
図４の上部に、交通障害情報作成サーバ１２で作成されて交通障害リスク算出部１０ａに送られる渋滞度情報を示す。
【００４４】
図示の如く、統計渋滞度は一定期間の過去値（普段の値）であり、順調、混雑、渋滞の３つの区分（複数段階の区分）に大別される。それに対し、現況渋滞度は現在（過去３０分未満）の値であり、走行時刻などで変化することから、普段は空いている順調区分でも順調、混雑、渋滞の３つの区分に区別される。
【００４５】
現況渋滞度は、統計渋滞度のうちの普段は混んでいる混雑区分あるいは普段は渋滞している渋滞区分についても同様である。従って、統計渋滞度３区分に対し、現況渋滞度は９区分に細分される。
【００４６】
渋滞度情報は現況渋滞度と統計渋滞度の総称であるが、渋滞度情報は、より具体的には統計渋滞度の３区分における現況渋滞度の区分に応じて設定される１から９までの数値からなる。図示の如く、１から３は、統計渋滞度における現況渋滞度の「渋滞」を意味し、統計渋滞度が渋滞のときの数値が１、混雑のときの数値が２、順調のときの数値が３と設定される。
【００４７】
４から６は、統計渋滞度における現況渋滞度の「混雑」を意味し、統計渋滞度が渋滞のときの数値が４、混雑のときの数値が５、順調のときの数値が６と設定される。
【００４８】
７から９は、統計渋滞度における現況渋滞度の「順調」を意味し、統計渋滞度が渋滞のときの数値が７、混雑のときの数値が８、順調のときの数値が９と設定される。
【００４９】
このように、渋滞度情報は複数段階の区分に分別されてなる渋滞度情報、より詳しくは３つの区分に分別される統計渋滞度に応じて９つの区分に分別される現況渋滞度について９つの複数段階の区分に分別されると共に、渋滞度が増加するにつれて減少するように設定される１から９までの数値からなる。
【００５０】
また、数値（渋滞度情報）は、それに応じて異なるように設定される色彩で着色される。具体的には、数値１から３は赤色、数値４から６はオレンジ色、数値７から９は緑色で着色される。
【００５１】
また着色は、交通障害（渋滞度）の程度あるいは気象条件の障害の度合いが増加するにつれて濃くなる如く、濃淡が変化するように設定される。さらに、走行路（リンク）も交通障害（渋滞度）の程度あるいは気象条件の障害の度合いに応じて赤色、オレンジ色、緑色に着色される。
【００５２】
尚、図示の便宜のため、着色は赤色が破線、オレンジ色が１点鎖線、緑色が２点鎖線で示すと共に、それらの色彩の濃淡は色彩に対応する線種からなるハッチング線の間隔の大小で示す（即ち、色彩の濃度が増すほどハッチング線の間隔を小さくして示す）。
【００５３】
交通障害リスク予測部１０ｂは、図４に示す如く、交通情報に基づいて、より具体的には交通情報と気象情報とに基づいて走行路について交通障害が発生する可能性を示す交通障害発生リスクを予測する。
【００５４】
ここで、気象条件は、「遭難リスク」、「交通障害リスク」、「交通障害リスクの可能性」に大別され、その順序で気象条件の障害度（シビアさ）が減少するように設定される。「遭難リスク」は、特に車両１６が交通量の少ない走行路において単独走行のとき、事故、被災、スタックなどを生じる危険性を意味する。
【００５５】
「交通障害リスク」と「交通障害リスクの可能性」は、シビアな気象条件（気性条件の障害度が増加）下での著しい停渋滞あるいは多数車両の立ち往生などに巻き込まれる危険性を意味する。即ち、交通障害リスクなどは気象条件と高障害の双方による危険性を意味する。尚、「交通障害リスク」と「交通障害リスクの可能性」は前者の方が障害の度合いが大きいものとする。
【００５６】
気象条件は図示の如く、降雪、視程、降水の３種の荒天情報からなり、それぞれ時間当たりの降雪量あるいは降水量が増加するほど、あるいは視程が減少するほどリスクが増加するように設定される。荒天情報あるいは荒天情報と交通障害との組み合わせによる障害度合いは障害の度合いに応じてリスク（ランク値）Ｃ，Ｂ，Ａからなる複数段階の区分に分別して示される。ランク値はその順（Ａ，Ｂ，Ｃ順）で障害度合いが増加するように設定される。尚、荒天情報は、上記に加え、濃霧、強風など交通の障害となる全ての事象を含む。
【００５７】
図５は図４の「遭難リスク」、「交通障害リスク」、「交通障害リスクの可能性」を、より詳しく示す説明図である。図５ではリスクＣ，Ｂ，Ａに代え、遭難リンクはランク値ＩからＩＩＩまでのローマ数字の大文字が、交通障害リスクなどはｉからｉｖまでのローマ数字の小文字がランク値として使用される。
【００５８】
図５に示す如く、「遭難リスク」、「交通障害リスク」、「交通障害リスクの可能性」は、ランク値に応じて設定される色彩で着色される。具体的には、リスクＩからＩＩＩ（あるいはＡ）は渋滞度情報の数値１から３と同様の赤色で、リスクｉｉｉからｉｖ（あるいはＢ）は、渋滞度情報の数値４から６と同様のオレンジ色で、リスクｉからｉｉ（あるいはＣ）は、渋滞度情報の数値７から９と同様のオレンジ色は緑色で着色される。
【００５９】
また、同図に示す如く、ランク値の着色は、渋滞度情報と同様、障害の度合いが増加するにつれて濃くなる如く、濃淡が変化するように設定される。具体的には荒天時遭難リスクは矢印で示す如く、気象上の障害の度合いが増すにつれ、荒天時交通障害リスクとその可能性は矢印で示す如く、数値が大きくなるにつれて増加するように設定される。
【００６０】
さらには、交通障害リスク表示部は、図６に示す如く、気象情報が降雪、降水、視程の少なくともいずれかからなる荒天情報（図示例の場合は降雪）を含むとき、荒天情報と渋滞度情報を解析して得られる複数のカテゴリ（ランク０から３）に基づいて将来の所定時間の間に交通障害が発生する可能性を示す交通障害発生リスクの予測値を算出して表示する。
【００６１】
図６においては、現在時刻から３０分の間を現況とする一方、現況の後の３時間（将来（未来）の所定時間）の間の交通障害発生リスク（より具体的には荒天時交通障害発生リスク）を１０分ごとに予測するように構成される。
【００６２】
尚、図６においては、上でも触れた如く、渋滞度情報と遭難リスク、交通障害リスク、交通障害リスクの可能性とからなる障害の度合いをランク０から３までのランク値で示す。ランク０は渋滞度情報の４から９あるいは障害度合いについてのリスクＣの一部で現実に障害がないと予想される場合を、ランク１から３はリスクＣからＡ（あるいはＩからＩＩＩ，ｉからｉｖ）に相当する。
【００６３】
図７は交通障害リスク表示部の処理（動作）を示すフロー・チャートである。
【００６４】
以下説明すると、Ｓ２００において作成リンクを探索する。即ち、所定の走行区間（例えば１０ｋｍ）を構成するリンクのうちの最初のリンクを選択し、Ｓ２０２に進み、渋滞度情報が算出されているか否か判断する。
【００６５】
Ｓ２０２で否定されるときはＳ２０４に戻り、次のリンクを選択する一方、肯定されるときはＳ２０６に進み、気象情報が降雪、降水、視程の少なくともいずれかからなる荒天情報を含むか否か判断する。Ｓ２０６で否定されるときはＳ２０４に進む一方、肯定されるときはＳ２０８に進む。
【００６６】
図６に示す例の場合、降雪情報があることから、Ｓ２０６の判断は肯定される。尚、この場合、図４に示すような荒天情報が降雪、降水、視程の全てを含む場合であっても良いことはいうまでもない。
【００６７】
Ｓ２０８においては気象モデルから推定された未来（将来）の予測値（図６の１０：４０以降の値）があるか否か判断し、否定されるときはＳ２１０に進み、現況の交通障害ランクを検索、より具体的には図７フロー・チャートのループ時刻に相当する現況の交通障害ランクを検索し、Ｓ２１２に進み、検索された交通障害ランクから（現在の）交通障害リスクを算出あるいは予測する（算出値を求める）。
【００６８】
他方、Ｓ２０８において肯定されるときはＳ２１４に進み、現況の交通障害ランクを検索、より具体的には現況の最後の交通障害ランクを検索し、Ｓ２１６に進み、検索された交通障害ランクと図７フロー・チャートのループ時刻に相当する荒天情報（降雪情報）から将来、より具体的には図７フロー・チャートのループ時刻の交通障害リスクの予測値を算出して表示する。
【００６９】
次いで、図１の装置１０のメッシュ面変換処理部１０ｅと交通障害リスク表示データ作成部１０ｆの処理（動作）を説明する。
【００７０】
図８はその処理を示すフロー・チャート、図９から図１２は図８フロー・チャートの処理を説明する説明図である。
【００７１】
図８を参照して説明すると、先ずＳ３００においてリンク単位で算出された交通障害リスクをメッシュ地図上に描画する。即ち、図９に示す如く、前記した所定区間を構成する全てのリンクを一括してメッシュ地図上に描画する。
【００７２】
次いでＳ３０２に進み、所定のエリア（前記した所定の走行区間を含む面積領域）を構成する最初のリンクについて数値（渋滞度情報を示す）があるか否か判断する。
【００７３】
図１０にその数値を示す。図４に示す渋滞度情報を示す数値と同じであるが、この例の場合、４，７，８は現状では交通障害が起きるリスクは少ないと判断されるため、換言すれば渋滞度が所定度合い以下の区分と判断されるため、着色しないこととする。
【００７４】
従って、数値４，７，８からなるリンクについてはＳ３０２で否定され、図１１に示す如く、それらに相当するリンクを削除し、残りのリンクを１，２，３，５，６，８、９に応じた色彩で着色する。
【００７５】
一方、Ｓ３０２で肯定されるときはＳ３０６に進み、リスクが一番低いリンク、即ち数値が最も大きいリンク、図１０でいえば９に相当するリンクを選択し、Ｓ３０８に進み、そのリンクを包括するメッシュを選択し、Ｓ３１０に進み、数値に応じた色彩でメッシュに着色する。
【００７６】
具体的には、図１２と図１３に示す如く、当該リンクの始点と終点を含む面を頂点とする領域（方形領域）を数値に応じた色彩で着色する。
【００７７】
次いでＳ３１２に進み、同一の数値があるか否か判断し、肯定されるときはＳ３１４に進み、他のリンクを選択し、Ｓ３０８に戻る。また、Ｓ３１２で否定されるときはＳ３１６に進み、より低い数値（図１０でいえば６）があるか否か判断し、肯定されるときはＳ３１８に進み、そのリンクを探索する。
【００７８】
次いでＳ３０８に戻り、上記した処理をくり返す。尚、Ｓ３１６で否定されるときは以降の処理を終了する。
【００７９】
即ち、図１３に示す如く、上記した処理を繰り返すことにより、同一リンクについて描画された渋滞度情報が重複するとき、渋滞度が軽度かつ交通障害のリスクの少ない数値相当の色彩の上に、渋滞度がより重くて交通障害リスクの大きい数値相当の色彩を上書きすることとなり、渋滞度をピンポイントで表示することが可能となる。
【００８０】
このように、装置１０において交通障害リスク予測部は、図４の上部に示す交通障害リスクと図１３に示すメッシュ形式のデータとに基づいて図７フロー・チャートに従って交通発生リスクを予測（予測値を算出）する。
【００８１】
また、図８の処理によって生成される図１３に示す表示データはディスプレイ１０ｇに表示され、操作者が目視可能にされ、よって視認性が向上するように構成される。従って、操作者は図７フロー・チャートの処理によって算出される交通障害リスクの予測値と併せて目視することで、交通障害の度合いを的確に判断することができる。
【００８２】
次いで、図１の装置１０のメッシュ面変換処理部１０ｅと交通障害リスク表示データ作成部１０ｆの別の処理（動作）、即ち、図４と図５に示す表示データのメッシュ面変換処理を説明する。
【００８３】
図１４はその処理を示すフロー・チャートである。
【００８４】
同図を参照して説明すると、先ずＳ４００において、図８フロー・チャートのＳ３００の処理と同様、所定区間を構成する全てのリンクを一括してメッシュ地図上に描画する。
【００８５】
次いでＳ４０２に進み、リスクが一番低いリンク、図５に示す例でいえばローマ数字のｉ（ランク値）に相当するリンクを選択し、Ｓ４０４に進み、そのリンクを包括するメッシュを選択し、Ｓ４０６に進み、そのランク値に応じた色彩でメッシュに着色する。尚、図１４の処理では図５の右側の「荒天時交通障害リスクの可能性」と「荒天時交通障害リスク」についてのみ着色データが作成される。
【００８６】
次いでＳ４０８に進み、同じランク値があるか否か判断し、肯定されるときはＳ４０２に戻る。また、Ｓ４０８で否定されるときはＳ４１０に進み、より高いランク値（図５でいえばｉｉ）があるか否か判断し、肯定されるときはＳ４０２に戻り、上記した処理をくり返す一方、否定されるときは以降の処理を終了する。
【００８７】
上記した処理を繰り返すことにより、同一リンクについて荒天情報と渋滞度情報が重複するとき、交通障害のリスクの大きいランク値相当の色彩の上に、より大きいランク値相当の色彩を上書きすることとなり、荒天時の交通障害リスクあるいはその可能性をピンポイントで表示することが可能となる。
【００８８】
図１４の処理によって生成される図４から図６に示す表形式データは、ディスプレイ１０ｇに表示され、操作者の目視可能にされる。従って、操作者は図７フロー・チャートの処理によって算出される交通障害リスクの予測値と併せて目視することで、交通障害の度合いを的確に判断することができる。
【００８９】
上記した如く、この実施形態に係る交通障害リスク表示装置にあっては、走行路について通信型ナビゲーションシステム１６ａを装着した車両１６からプローブデータ２０として送信される走行データの現況値から得られる現況渋滞度と前記現況値の過去一定期間の統計値から得られる統計渋滞度とからなると共に、前記走行データ中の走行速度に従ってそれぞれ複数段階の区分（具体的には９つ区分）に分別されてなる渋滞度情報を含む交通障害情報を地図データに基づいて前記走行路を規定するリンクごとに作成する交通障害情報作成サーバ（１２，Ｓ１０からＳ１４，Ｓ１００からＳ１０６）に接続される交通障害リスク表示装置１０であって、前記複数段階の区分に分別されてなる渋滞度情報について渋滞度が増加するにつれて減少するように設定される数値（１から９）に応じて設定される色彩で着色しつつ、前記走行路を規定するリンクを含むメッシュ地図上に前記渋滞度情報を描画すると共に、前記描画された渋滞度情報が重複するとき、前記数値に応じて設定される色彩で上書きする交通情報メッシュ化部（メッシュ面変換処理部１０ｅ、交通障害リスク表示データ作成部１０ｆ、Ｓ３００からＳ３１８）と、前記交通情報メッシュ化部で描画される渋滞度情報に基づいて前記走行路について交通障害が発生する可能性を示す交通障害発生リスクの予測値を算出して表示する交通障害リスク表示部（交通障害リスク予測部１０ｂと交通障害リスク表示データ作成部１０ｄ，１０ｆとディスプレイ１０ｇ，Ｓ２００からＳ２１６）とを備える如く構成したので、メッシュ化部で描画される渋滞度情報に基づいて走行路について交通障害が発生する可能性を示す交通障害発生リスクの予測値を算出して表示することで、交通状況から今後発生する可能性のある交通障害リスクの予測値が目視可能となり、よって視認性を向上させることができる。
【００９０】
上記から明らかな如く、交通障害リスク表示装置１０は実施形態では交通障害情報作成サーバ１２と気象情報作成サーバ１４とに接続されて渋滞度情報を含む交通障害情報と気象情報を入力するように構成されているが、この発明に係る交通障害リスク表示装置１０は、交通障害情報作成サーバ１２に接続されて交通障害情報を入力すれば足りるものである。
【００９１】
また、交通情報メッシュ化部は、前記描画された渋滞度情報が同一リンクについて重複するとき、前記数値が大きい方に対応する色彩で上書きする如く構成したので、交通状況から今後発生する可能性のある交通障害リスクの予測値が一層目視可能となり、視認性を一層向上させることができる。
【００９２】
また、前記交通障害情報作成サーバは前記走行路を規定するリンクごとに前記渋滞度情報を作成すると共に、前記交通障害リスク表示部は、前記交通情報メッシュ化部で描画される渋滞度情報に基づいて前記交通障害発生リスクの予測値を算出して表示する（Ｓ２００からＳ２１６）如く構成したので、上記した効果に加え、リンクごとに作成される渋滞度情報に基づいてリスクの予測値を算出して表示することで、視認性を一層向上させることができる。
【００９３】
また、前記交通情報メッシュ化部は、前記渋滞度が所定度合い以下の区分について前記数値に応じて設定される色彩での着色を中止する（Ｓ３０２からＳ３０４）如く構成したので、上記した効果に加え、処理負荷を軽減することができる。
【００９４】
また、前記交通障害情報作成サーバは、前記渋滞度情報を所定のエリア（例えば１０ｋｍ四方）ごとに作成する如く構成したので、上記した効果に加え、予測値の算出と表示などに必要なデータを確実に作成することができる。
【００９５】
尚、この明細書において、現況渋滞度と統計値から得られる統計渋滞度とからなる渋滞度情報を含む交通障害情報作成サーバ１２で作成するようにしたが、交通障害リスク表示装置１０で作成しても良い。
【符号の説明】
【００９６】
１０  交通障害リスク表示装置、１０ａ  交通障害リスク算出部、１０ｂ  交通障害リスク予測部、１０ｃ  地図・表示テーブル作成部、１０ｄ，１０ｆ  交通障害リスク表示データ作成部、１０ｅ  メッシュ面変換処理部、１０ｇ  ディスプレイ、１２  交通障害情報作成サーバ、１４  気象情報作成サーバ、１６  車両、１６ａ  通信型ナビゲーションシステム、１６ａ１  通信モジュール、１６ａ２  プローブ収集モジュール、２０  プローブデータ、２２  通信網、２４  ＧＰＳ装置、２６  電源、３０  スイッチ、３２  携帯端末
【図１】
2018055208.tif 000003
【図２】
2018055208.tif 000004
【図３】
2018055208.tif 000005
【図４】
2018055208.tif 000006
【図５】
2018055208.tif 000007
【図６】
2018055208.tif 000008
【図７】
2018055208.tif 000009
【図８】
2018055208.tif 000010
【図９】
2018055208.tif 000011
【図１０】
2018055208.tif 000012
【図１１】
2018055208.tif 000013
【図１２】
2018055208.tif 000014
【図１３】
2018055208.tif 000015
【図１４】
2018055208.tif 000016